(57)【要約】【課題】負荷を高めることで筋肉等の強化に基づく演技力の向上を効率よく図ることができ、かつ競技直前で使用により競技用のリボンを軽く感じさせることのできる新体操練習用リボンを提供することを課題としている。【解決手段】所定の幅Ｗの帯状の布１０を長手方向ＬＤの所定の位置で折り返すことによって、一方の折返布１０Ｘと他方の折返布１０Ｙとを全体的に重ねた状態に構成し、折り返された側の先端１ａから基端１ｂまで帯状に長く延在するように形成し、一方の折返布１０Ｘと他方の折返布１０Ｙとは幅方向ＷＤの各側縁部１０ａ同士が長手方向ＬＤに沿って縫い合わせを行なう長手方向縫製１１により結合され、基端１ｂ側の端縁部１０ｂ同士が幅方向ＷＤ幅方向に沿って縫い合わせを行なう幅方向縫製１２により結合されたもので構成されている。【選択図】図１
2015070887.tif 000002
【特許請求の範囲】
【請求項１】
スティックの先端部に接続具を介して取り付けて使用される新体操のリボンのうち練習の際に用いる新体操練習用リボンであって、
所定の幅の帯状の布を長手方向の所定の位置で折り返すことによって、その折り返し部の一方の側に位置する一方の折返布と、当該折り返し部の他方の側に位置する他方の折返布とを全体的に重ねた状態に構成し、前記折り返し部側の一方の端である先端から当該折り返し部側とは反対側の端である基端まで帯状に長く延在するように形成してなり、
前記一方の折返布と他方の折返布とは、幅方向の各側に位置する側縁部同士が長手方向に沿って縫い合わせを行なう長手方向縫製により結合され、前記基端側に位置する端縁部同士が幅方向に沿って縫い合わせを行なう幅方向縫製により結合されていることを特徴とする新体操練習用リボン。
【請求項２】
前記一方及び他方の折返布における前記基端側の端部には、当該端部に対応する部位の前記布を前記先端側に向けて内方に折り返してなる内方折返部が形成されていることを特徴とする請求項１に記載の新体操練習用リボン。
【請求項３】
前記先端からの前記長手方向の長さが所定の長さとなる中間位置に当該中間位置から前記基端側の部分を切り離すための切断想定ラインが定められ、
前記一方の折返布と他方の折返布とは、前記切断想定ラインの前記先端側に隣接する中間部同士が前記幅方向縫製により結合されており、
前記中間部における幅方向縫製は、縫い目が少なくとも前記幅方向の両側に位置する一方及び他方の長手方向縫製の縫い目に達するように延在していることを特徴とする請求項１又は２に記載の新体操練習用リボン。
【請求項４】
前記中間部には、当該中間部に対応する部位の前記布を前記先端側に向けて内方に折り返した上で、当該折り返した布の一部を中間折返部として残すようにして更に基端側に折り返すことにより、当該中間折返部が内方に残存するように形成されており、
前記中間部における幅方向縫製は、少なくとも前記中間折返部における前記基端側に位置する折返端に沿う部分を一体化するように前記一方及び他方の折返布の中間部同士を縫い合わせて結合するようになっていることを特徴とする請求項３に記載の新体操練習用リボン。
【請求項５】
前記幅方向縫製は、縫い目が前記長手方向の所定の範囲において当該長手方向に繰返し往復変移しながら全体として幅方向に延在するように形成されていることを特徴とする請求項１〜４の何れかに記載の新体操練習用リボン。
【発明の詳細な説明】
【技術分野】
【０００１】
本発明は、新体操の競技種目の一つであるリボンにおいて用いる布製のリボンであって、特に練習効果の高い新体操練習用リボンに関する。
【背景技術】
【０００２】
新体操の競技用のリボンとしては、図５において符号１０１で示すように、帯状に長く形成された布製のもの（例えば、全長Ｌが６．１ｍ、幅Ｗが５ｃｍのもの）が知られている。この競技用のリボン１０１は、スティックＳの先端部に接続具Ｊを介して接続して使用されることになる。
【０００３】
一方、練習に用いる新体操練習用リボンとしては、特に練習のためだけに使用する専用のものがあるわけではなく、競技用のリボン１０１をそのまま練習用として用いているのが現状である。
【０００４】
なお、競技用のリボン１０１は、規格が次のように定められている。即ち、リボン１０１を構成する布は７０００ｍｍ以上の連続した１枚のものを使用し、スティックＳに接続される側の先端からの長さＬ１が、最大１０００ｍｍとなるように二重に折り返しをつけ、これにより得られた先端折り返し部１０１ａの周縁部は、縫い付けられることになっている。また、布は先端からの長さＬ２が最大５０ｍｍとなる部分に目立たないように補強材１０２を入れたものであってもよい。これにより、リボン１０１は、全長Ｌが６０００ｍｍ以上、先端折り返し部１０１ａの長さＬ１が１０００ｍｍ以下、補強材１０２の長さＬ２が５０ｍｍ以下、幅Ｗが４０〜６０ｍｍ、重量が３５ｇ以上となるように規定されている。
【０００５】
また、リボンの競技は、所定の演技時間内においてリボンの動きが止まると、これが減点の対象になるというハードな競技でもある。このため、競技用のリボン１０１は、その演技時間内において最大限リボンの動きが止まることがないように、演技者に対する負荷の軽減が図られたものとなっている。
【０００６】
従って、従来の新体操練習用リボンにおいては、競技用のリボン１０１をそのまま用いていることから、競技で行う演技を自然に身につける上では好ましいといえる。
【発明の概要】
【発明が解決しようとする課題】
【０００７】
しかしながら、従来の新体操練習用リボンにおいては、競技用のリボン１０１がそのまま用いられている関係上、演技時間内でリボンの動きが止まることがないように演技者に対する負荷が軽減されたものとなっていることから、練習において負荷を高めることで筋肉等を効率よく強化するのには不向きであり、例えばリボンをかく（回す）等の演技において手首をやわらかく動かす等の演技力を効率よく向上させることができないという問題があった。また、競技直前のウオーミングアップ等において用いることにより、競技用のリボンを軽く感じさせるというような効果を期待することもできなかった。
【０００８】
本発明は、上記事情に鑑みてなされたものであり、負荷を高めた練習を可能にすることで効率よく筋肉等を強化し、これに基づく演技力の向上を効率よく図ることができ、かつ競技直前で使用することにより競技用のリボンを軽く感じさせることのできる新体操練習用リボンを提供することを課題としている。
【課題を解決するための手段】
【０００９】
上記課題を解決するために、請求項１に記載の発明は、スティックの先端部に接続具を介して取り付けて使用される新体操のリボンのうち練習の際に用いる新体操練習用リボンであって、所定の幅の帯状の布を長手方向の所定の位置で折り返すことによって、その折り返し部の一方の側に位置する一方の折返布と、当該折り返し部の他方の側に位置する他方の折返布とを全体的に重ねた状態に構成し、前記折り返し部側の一方の端である先端から当該折り返し部側とは反対側の端である基端まで帯状に長く延在するように形成してなり、前記一方の折返布と他方の折返布とは、幅方向の各側に位置する側縁部同士が長手方向に沿って縫い合わせを行なう長手方向縫製により結合され、前記基端側に位置する端縁部同士が幅方向に沿って縫い合わせを行なう幅方向縫製により結合されていることを特徴としている。
【００１０】
請求項２に記載の発明は、請求項１に記載の発明において、前記一方及び他方の折返布における前記基端側の端部には、当該端部に対応する部位の前記布を前記先端側に向けて内方に折り返してなる内方折返部が形成されていることを特徴としている。
【００１１】
請求項３に記載の発明は、請求項１又は２に記載の発明において、前記先端からの前記長手方向の長さが所定の長さとなる中間位置に当該中間位置から前記基端側の部分を切り離すための切断想定ラインが定められ、前記一方の折返布と他方の折返布とは、前記切断想定ラインの前記先端側に隣接する中間部同士が前記幅方向縫製により結合されており、前記中間部における幅方向縫製は、縫い目が少なくとも前記幅方向の両側に位置する一方及び他方の長手方向縫製の縫い目に達するように延在していることを特徴としている。
【００１２】
請求項４に記載の発明は、請求項３に記載の発明において、前記中間部には、当該中間部に対応する部位の前記布を前記先端側に向けて内方に折り返した上で、当該折り返した布の一部を中間折返部として残すようにして更に基端側に折り返すことにより、当該中間折返部が内方に残存するように形成されており、前記中間部における幅方向縫製は、少なくとも前記中間折返部における前記基端側に位置する折返端に沿う部分を一体化するように前記一方及び他方の折返布の中間部同士を縫い合わせて結合するようになっていることを特徴としている。
【００１３】
請求項５に記載の発明は、請求項１〜４の何れかに記載の発明において、前記幅方向縫製は、縫い目が前記長手方向の所定の範囲において当該長手方向に繰返し往復変移しながら全体として幅方向に延在するように形成されていることを特徴としている。
【発明の効果】
【００１４】
請求項１に記載の発明によれば、一方の折返布と他方の折返布とが全体的に重ねられた状態に構成されているが、一方及び他方の折返布における幅方向の各側の側縁部同士が長手方向縫製により結合され、折り返された側とは反対側の基端側の端縁部同士が幅方向縫製により結合されているので、一方の折返布と他方の折返布とが互いに密着した一枚の薄い布状に維持されることになる。従って、屈曲性等の柔軟性が悪化するのを防止することができる。
【００１５】
また、例えば全長が６ｍのリボンの場合には、競技用のリボンにおいては折り返した側の先端から１ｍの部分のみの布が二重に重ねられた状態になるのに対して、本願のリボンは６ｍの布の全体が二重に重ねられた状態になるので、重量を確実に増加させることができる。即ち、本願のリボンに用いる布の長さは少なくとも６ｍ×２＝１２ｍとなるのに対して、競技用のリボンに用いる布の長さは少なくとも６ｍ＋１ｍ＝７ｍとなることから、布の長さとして約５ｍ分の重量増加を果たすことができる。また、倍率で示すと、１２／７＝約１．７倍の重量の増加を得ることができる。
【００１６】
従って、リボンを操作するためにはより大きな力が必要になるので（即ち、演技者にはより大きな負荷が作用することになるので）、練習において筋肉等の強化を効率よく行なうことができ、例えばリボンをかく等の演技において手首をやわらかく動かす等の演技力を効率よく向上させることができる。また、競技直前のウオーミングアップ等の際に使用することにより、競技用のリボンを軽く感じさせることができる効果を得ることもできる。
【００１７】
請求項２に記載の発明によれば、一方及び他方の折返布における基端側の端部に内方折返部が形成されているので、この内方折返部によってもリボンの重量の増加を図ることができる。しかも、内方折返部の折返端が基端に位置することになるので、その基端において布が先端側にほつれるのを確実に防止することができる。
【００１８】
請求項３に記載の発明によれば、一方の折返布と他方の折返布とにおける切断想定ラインの先端側に隣接する中間部同士が幅方向縫製により結合されているので、その幅方向縫製に沿う基端側の部分が切断想定ラインに対応する部分として容易に認識することができる。このため、幅方向縫製を目安に切断想定ラインを認識して容易に切断することができる。即ち、所定の長さに切断された全長の短い練習用リボンについても簡単に得ることができる。
【００１９】
例えば、切断した後の長さがジュニア用のリボンの長さ（例えば５ｍ）となるように切断想定ラインの位置を定めて中間部同士を幅方向縫製により結合しておくことにより、その幅方向縫製に沿う基端側の部分を切断することで競技用の長さに設定された練習用リボンからジュニア用の練習用リボンを簡単に得ることができる。
【００２０】
また、幅方向縫製は切断想定ラインの先端側に隣接する中間部同士を結合するようになっているので、その幅方向縫製に沿う基端側の部分（即ち、切断想定ラインに対応する部分）に沿って切断した後においても、その切断した部分から先端側に布がほつれるのを防止することができる。しかも、幅方向縫製の縫い目が少なくとも一方及び他方の長手方向縫製の縫い目に達するように延在しているので、当該長手方向縫製が上述した切断の後に先端側にほつれるのも防止することができる。
【００２１】
請求項４に記載の発明によれば、中間部に中間折返部を形成し、その中間折返部における基端側に位置する折返端に沿う部分を一体化するように幅方向縫製で縫い合わせているので、当該折返端の基端側に沿う部分を切断想定ラインに対応する部分とすることができる。これにより、当該折返端を目安にして切断想定ラインに対応する部分を容易に切断することができる。即ち、全長の短い例えばジュニア用の練習用リボンを簡単に得ることができる。また、幅方向縫製が中間折返部における基端側の折返端に沿う部分同士を結合することになるので、切断後の布が先端側にほつれるのをより確実に防止することができる。
【００２２】
請求項５に記載の発明によれば、幅方向縫製による縫い目が長手方向の所定の範囲内において当該長手方向に繰返し往復変移しながら全体として幅方向に延在するように形成されている（例えば縫い目が長手方向にジグザグ状に振れながら全体として幅方向に延在するように形成されている）ので、幅方向縫製がなされた基端（切断後の基端も含む）や中間部において、厚さ方向の屈曲性が当該幅方向縫製によって損なわれるのを極力防止することができる。
【図面の簡単な説明】
【００２３】
【図１】本発明の実施例１として示した新体操練習用リボンの図であって、（ａ）は正面図であり、（ｂ）は（ａ）のＢ矢視図である。
【図２】同新体操練習用リボンの先端に係る部分を示す図であって、（ａ）は補強材を配置した後、布を折り返す前の状態を示す要部展開正面図であり、（ｂ）は布を折り返す際の複数の折返線部（折り目）を示す布の要部展開正面図であり、（ｃ）は平面状に開いた状態の補強材を示す正面図であり、（ｄ）は折曲線に沿ってＶ字状に折り曲げた状態の補強材を示す側面図であり、（ｅ）は内部に補強材を挿入した上で布を折り返し周縁部等を長手方向縫製その他の縫製により縫い合わせて結合した状態を示す要部正面図である。
【図３】本発明の実施例２として示した新体操練習用リボンの図であって、（ａ）は正面図であり、（ｂ）は（ａ）のＢ矢視図である。
【図４】同新体操練習用リボンにおける中間折返部を結合するための幅方向縫製の他の例を示す図であり、（ａ）は、全幅にわたって直線状に延在する縫い目による幅方向縫製を示す要部正面図であり、（ｂ）はコ字状に形成された縫い目による幅方向縫製を示す要部正面図であり、（ｃ）は中間折返部の範囲内において長手方向に周期的に変化しながら全体として幅方向に延在する縫い目による幅方向縫製を示す要部正面図であり、（ｄ）中間折返部の範囲を先端側に超えるような所定の範囲内において長手方向に周期的に変化しながら全体として幅方向に延在する縫い目による幅方向縫製を示す要部正面図である。
【図５】従来例として示した新体操競技用リボンであって、スティックの先端部に接続具を介して取り付けられた状態のリボンを示す正面図である。
【発明を実施するための形態】
【００２４】
本発明を実施するための形態を実施例に基づいて詳細に説明する。
【実施例１】
【００２５】
まず、この発明の実施例１を図１及び図２を参照して説明する。即ち、この実施例１で示す新体操練習用リボン１は、スティックＳ（図５参照）の先端部に接続具Ｊ（図５参照）を介して取り付けて使用されるものであり、所定の幅Ｗの帯状の布１０を長手方向ＬＤの中央の位置（所定の位置）で折り返すことによって、その折り返し部（後述する中央折返線部１０ｈに相当する部分）の一方の側に位置する一方の折返布１０Ｘと、当該折り返し部の他方の側に位置する他方の折返布１０Ｙを全体的に重ねた状態に構成し、その折り返し部側の端である先端１ａから当該折り返し部とは長手方向ＬＤの反対側の端である基端１ｂまで帯状に長く延在するように形成されている。
【００２６】
一方の折返布１０Ｘと他方の折返布１０Ｙとは、幅方向ＷＤの各側に位置する側縁部１０ａ同士が長手方向に沿って縫い合わせを行なう長手方向縫製１１により結合され、基端１ｂ側の端縁部１０ｂ同士が幅方向ＷＤに沿って縫い合わせを行なう幅方向縫製１２により結合されている。なお、長手方向縫製１１は、その縫い目が側縁部１０ａに沿って直線状に延在するように形成されており、幅方向縫製１２は、その縫い目が端縁部１０ｂに沿って直線状に延在するように形成されている。
【００２７】
また、一方及び他方の折返布１０Ｘ、１０Ｙにおける基端１ｂ側の端部には、当該端部に対応する部位の布１０を先端１ａ側に向けて内側に折り返してなる内方折返部１０ｃが形成されている。これにより、新体操練習用リボンの基端１ｂは、内方折返部１０ｃの折返端によって形成された状態になっている。この折返端に沿う端縁部１０ｂ同士が幅方向縫製１２によって縫い合わされて結合されている。
【００２８】
一方、新体操練習用リボン１は、先端１ａからの長手方向ＬＤの長さが所定の長さとなる中間位置に当該中間位置から基端１ｂ側を切り離すための切断想定ラインＣＬが設定されたものとなっている。そして、一方の折返布１０Ｘと他方の折返布１０Ｙとは、切断想定ラインＣＬの先端１ａ側に隣接する中間部１０ｄ同士が幅方向縫製１２により結合されている。この中間部１０ｄを結合する幅方向縫製１２は、その縫い目が切断想定ラインＣＬの近傍を幅方向ＷＤに直線状に延在し、かつ当該幅方向ＷＤの両側に位置する一方及び他方の長手方向縫製１１の縫い目に達するように延在している。
【００２９】
なお、この幅方向縫製１２は、一方及び他方の長手方向縫製１１を超えて幅方向に延在するものであってもよい。即ち、中間部１０ｄ同士を結合する幅方向縫製１２は、少なくとも一方及び他方の長手方向縫製１１に達するように延在していることが好ましい。また、切断想定ラインＣＬは、幅方向縫製１２の基端１ｂ側に沿う部分として当該幅方向縫製１２によって明確に認識することが可能であるので、当該切断想定ラインＣＬを布１０の表面に表示することは必須ではないが、当該切断想定ラインＣＬを目視可能な線によって布１０の表面に表示するようにしてもよい。
【００３０】
布１０の長手方向ＬＤの中央部における折り返しは、図２に示すように、補強材１３が挿入された状態で行なわれるようになっている。補強材１３は、図２（ｃ）に示すように、平面状に展開した状態においては、長方形状に形成された矩形板部１３ａの長手方向ＬＤの各端部に等脚台形板部１３ｂが一体的に形成されたものとなっている。矩形板部１３ａと各等脚台形板部１３ｂとの境は図２（ｃ）において二点鎖線で示している。矩形板部１３ａにはその長手方向ＬＤの中央部に折曲部１３ｃが形成されており、各等脚台形板部１３ｂにはその上辺１３ｅの近傍で幅方向ＷＤの中央部に貫通孔１３ｄが形成されている。
【００３１】
折曲部１３ｃは、幅方向ＷＤに直線状に延在する複数のスリットによって形成されている。また、補強材１３は０．７ｍｍ程度の厚さの不織布によって形成されており、折曲部１３ｃの一方の部分は、同一形状で同一厚さの板が二枚重ねられた状態になっている。そして、補強材１３は、図２（ｄ）に示すように、折曲部１３ｃに沿って折り曲げて重ねた際に、各等脚台形板部１３ｂの周縁部である上辺１３ｅ及び各脚１３ｆが互いに重なり合うように形成されていると共に、貫通孔１３ｄも互いに重なり合うようになっている。
【００３２】
また、布１０の長手方向ＬＤの中央部における折り返しは、図２（ａ）及び（ｂ）に示すように、幅方向ＷＤの中央部において当該幅方向ＷＤに直線状に延在する中央折返線部１０ｈを山折とし、中央折返線部１０ｈから幅方向ＷＤの各側に直線状に延在する各側端折返線部１０ｉを谷折りとし、中央折返線部１０ｈの幅方向ＷＤの各端から一方及び他方の折返布１０Ｘ、１０Ｙの各側縁部１０ａに向けて斜めに延在する各傾斜折返線部１０ｊを山折りとすることにより行なわれる。
【００３３】
各折返線部１０ｈ、１０ｉ、１０ｊで折り返されることにより、一方の折返布１０Ｘにおいては、側端折返線部１０ｉと傾斜折返線部１０ｊとの間の部分が折返片部１０ｍとなって当該一方の折返布１０Ｘに重なることが可能な状態になる。このような折返片部１０ｍは幅方向ＷＤの両側に形成された状態になる。他方の折返布１０Ｙにおいては、側端折返線部１０ｉと傾斜折返線部１０ｊとの間の部分が折返片部１０ｎとなって当該他方の折返布１０Ｙに重なることが可能な状態になる。折返片部１０ｎも幅方向ＷＤの両側に形成された状態になる。また、折返片部ｍ、ｎも互いに重なることが可能な状態になる。
【００３４】
しかも、各折返線部１０ｈ、１０ｉ、１０ｊで折り返された状態において、中央折返線部１０ｈは各等脚台形板部１３ｂの上辺１３ｅに沿うような形状となり、各傾斜折返線部１０ｊは等脚台形板部１３ｂの各脚１３ｆに沿うような形状となるようになっている。
【００３５】
そして、補強材１３は、布１０の折り返しの際に、一方の等脚台形板部１３ｂが一方の折返布１０Ｘと２つの折返片部１０ｍとの間に挿入された状態になり、他方の等脚台形板部１３ｂが他方の折返布１０Ｙと２つの折返片部１０ｎとの間に挿入された状態になるようになっている。そして、折返片部１０ｍ、１０ｎは、互いに重ねられた状態になると共に、一方及び他方の等脚台形板部１３ｂ、１３ｂの間に挿入された状態になるようになっている。
【００３６】
このようにして折り返された布１０内に補強材１３が挿入された状態において、一方及び他方の折返布１０Ｘ、１０Ｙの各側縁部１０ａが長手方向縫製１１により結合され、各傾斜折返線部１０ｊ及び中央折返線部１０ｈに沿う側縁部が等脚台形板部１３ｂの各脚１３ｆ及び上辺１３ｅの側縁部と共に縫製１１１により結合されるようになっている。縫製１１１は、その縫い目が長手方向縫製１１の縫い目に連続的につながるように形成されている。また、各長手方向縫製１１の先端１ａ側の端部同士を幅方向ＷＤにつなぐ縫い目による縫製１１２もなされている。これらの縫製１１、１１１、１１２によって、一方の折返布１０Ｘ、他方の折返布１０Ｙ及び補強材１３が所定の厚さとなるように一体的に結合されるようになっている。
【００３７】
上記のように縫製１１、１１１、１１２によって補強材１３を有する部分が平面状に一体化された状態において、貫通孔１３ｄに対応する孔が布１０に形成され、当該孔及び貫通孔１３ｄにハトメ１４が固定されるようになっている。ハトメ１４は、上記孔及び貫通孔１３ｄの部分を補強すると共に、一方の折返布１０Ｘ、他方の折返布１０Ｙ及び補強材１３を一体的に強固に結合すようになっている。また、ハトメ１４には、接続具Ｊとの連結を図る貫通孔が形成されている。
【００３８】
上記のように構成された実施例１の新体操練習用リボン１においては、一方の折返布１０Ｘと他方の折返布１０Ｙとが全体的に重ねられた状態に構成されているが、一方及び他方の折返布１０Ｘ、１０Ｙにおける各側縁部１０ａ同士が長手方向縫製１１により結合され、基端１ｂ側の端縁部１０ｂ同士が幅方向縫製１２により結合されているので、一方の折返布１０Ｘと他方の折返布１０Ｙとを互いに密着した一枚の薄い状態に維持することができる。このため、練習において屈曲性が悪化するのを防止することができる。
【００３９】
また、例えば全長が６ｍのリボンの場合には、競技用のリボンにおいては先端から１ｍの部分のみが二重の布で構成された状態になるのに対して、本新体操練習用リボン１は先端１ａから６ｍの全体が二重の布１０で構成された状態になるので、重量を確実に増加させることができる。即ち、本新体操練習用リボン１の布１０の長さは少なくとも６ｍ×２＝１２ｍとなるのに対して、競技用のリボンに用いる布１０の長さは少なくとも６ｍ＋１ｍ＝７ｍであるから、布１０の長さとして略５ｍ分の重量増加を果たすことができる。これは、１２／７＝約１．７倍の重量の増加に相当する。
【００４０】
従って、操作のためにより大きな力が必要になるので（即ち、演技者に対する負荷がより増大することになるので）、練習において筋肉等の強化を効率よく行なうことができ、例えばリボンのかき等の演技において手首をやわらかく動かす等の演技力を効率よく向上させることができる。また、競技直前のウオーミングアップの際に使用することにより、競技用のリボンを軽く感じさせることもできる。
【００４１】
しかも、一方及び他方の折返布１０Ｘ、１０Ｙにおける基端１ｂ側の端部が内方折返部１０ｃによって形成されているので、この内方折返部１０ｃによってもリボンの重量の増加を果たすことができ、練習における筋肉の強化をより効率よく図ることができる。しかも、基端１ｂが内方折返部１０ｃの折返端によって構成されることになるので、端縁部１０ｂに沿って幅方向縫製１２を行なうことにより、布１０が基端１ｂから先端１ａ側にほつれるのを確実に防止することができる。
【００４２】
更に、切断想定ラインＣＬの先端１ａ側に隣接する中間部１０ｄ同士が幅方向縫製１２により結合されているので、その幅方向縫製１２の基端１ｂ側の部分が切断想定ラインＣＬに対応する部分となる。従って、幅方向縫製１２を目安にしてその基端１ｂ側の部分を鋏等で切断することにより、切断想定ラインＣＬに対応する部分に沿って切断された全長の短い練習用のリボンを簡単に得ることができる。
【００４３】
例えば、切断した後の長さがジュニア用のリボンの長さ（例えば５ｍ）となるように切断想定ラインＣＬの位置を定めて中間部１０ｄ同士を幅方向縫製１２により結合しておくことにより、その幅方向縫製１２の基端１ｂ側の部分を切断することで競技用の長さに設定された練習用リボンからジュニア用の練習用リボンを簡単に得ることができる。なお、切断想定ラインＣＬが目視可能な線で布１０の表面に記載されている場合には、その切断想定ラインＣＬ上を鋏等で切断することにより、ジュニア用の練習用リボンを得ることができる。
【００４４】
また、幅方向縫製１２は切断想定ラインＣＬの先端１ａ側に隣接する中間部１０ｄ同士を結合するようになっているので、その幅方向縫製１２の基端１ｂ側の部分に沿って切断した後においても、その切断端から先端側に布１０がほつれるのを防止することができる。
【００４５】
しかも、幅方向縫製１２が少なくとも一方の長手方向縫製１１から他方の長手方向縫製１１にわたるように中間部１０ｄ同士を結合するようになっているので（即ち、幅方向縫製１２の縫い目が少なくとも各長手方向縫製１１に達するように幅方向に直線状に延在しているので）、上述した切断の後に、当該長手方向縫製１１による糸が先端１ａ側にほつれ出すのを防止することができる。
【００４６】
なお、幅方向縫製１２が各長手方向縫製１１を超えて幅方向ＷＤに延在するように構成した場合には、長手方向縫製１１の糸のほつれをより確実に防止することができる。また、幅方向縫製１２等の端部は折返縫いをすることでほつれを防止することが好ましい。
【実施例２】
【００４７】
次に、この発明の実施例２を図３を参照して説明する。但し、図１及び２に示した実施例１の構成要素と共通する要素については、図３において同一の符号を付して説明を省略する。
【００４８】
この実施例２で示す新体操練習用リボン１は、一方及び他方の折返布１０Ｘ、１０Ｙにおける各中間部１０ｄに中間折返部１０ｆが設けられたものとなっている。中間折返部１０ｆは、中間部１０ｄに対応する部位の布１０を先端１ａ側に向けて内側に折り返した上で、その折り返した布１０の一部を当該中間折返部１０ｆとして残して更に基端１ｂ側に折り返すことにより、中間部１０ｄの内方に残存するように形成されている。
【００４９】
また、中間部１０ｄにおける幅方向縫製１２は、中間折返部１０ｆにおける基端１ｂ側の折返端１０ｇに沿って縫い目が直線状に延在するように形成することにより、一方及び他方の折返布１０Ｘ、１０Ｙにおける各折返端１０ｇに沿う中間部１０ｄ同士を一体化するように結合するようになっている。そして、折返端１０ｇは、中間部１０ｄの基端１ｂ側の端に位置し、当該中間部１０ｄの基端１ｂ側に沿って設定された切断想定ラインＣＬに接近した位置となっている。また、中間部１０ｄにおける幅方向縫製１２は、その縫い目が幅方向ＷＤにおける少なくとも一方及び他方の各長手方向縫製１１の縫い目に達するように延在している。
【００５０】
上記のように構成された実施例２の新体操練習用リボン１においては、中間部１０ｄに中間折返部１０ｆが形成されているので、中間折返部１０ｆにおける折返端１０ｇの基端１ｂ側に沿う部分を切断想定ラインＣＬとして設定することができる。即ち、折返端１０ｇの基端１ｂ側に沿う部分を切断することにより、切断想定ラインＣＬに対応する部分での切断が可能になるので、全長の短い例えばジュニア用の練習用リボンを簡単に得ることができる。また、中間折返部１０ｆにおける折返端１０ｇに沿う部分が幅方向縫製１２によって結合されているので、鋏等で切断した後においてもその切断端から布１０が先端側にほつれるのをより確実に阻止することができる。
【００５１】
なお、中間部１０ｄにおける幅方向縫製１２として、その縫い目が一方の長手方向縫製１１から他方の長手方向縫製１１に達するように構成した例を示したが、図４（ａ）に示すように、この幅方向縫製１２としては、その縫い目が各長手方向縫製１１を超えて中間部１０ｄの全幅にわって延在するように構成してもよい。この場合には、切断想定ラインＣＬに沿って切断した後においても、長手方向縫製１１が先端１ａ側にほつれるのをより確実に防止ることが可能になる。
【００５２】
また、中間部１０ｄにおける幅方向縫製１２については、図４（ｂ）に示すように、両端部に位置する縫い目１２ａが各長手方向縫製１１の縫い目に重なるか、当該長手方向縫製１１の幅方向ＷＤの外側を並列に延在するように形成することにより、縫い目が全体としてコ字状に形成されるように構成してもよい。この場合には、切断想定ラインＣＬに沿って切断した後に、長手方向縫製１１の糸が先端１ａ側にほつれるのをより効果的に防止することができる。
【００５３】
更に、幅方向縫製１２としては、図４（ｃ）に示すように、その縫い目が中間折返部１０ｆの範囲内で長手方向ＬＤに繰返し往復変移しながら全体として幅方向に延在するように形成してもよい。即ち、幅方向縫製１２としては、その縫い目が長手方向ＬＤに周期的に往復変移し、その振幅が中間折返部１０ｆの長手方向ＬＤの範囲内となるようなジグザグ状に形成したものであってもよい。また、縫い目は、鋸刃状、サインカーブ状等のように長手方向ＬＤに往復変移するものであってもよい。
【００５４】
また、幅方向縫製１２については、図４（ｄ）に示すように、その縫い目の一方のピークが中間折返部１０ｆの範囲を先端１ａ側に超えるような振幅で長手方向ＬＤに往復変移するように形成したものであってもよい。
【００５５】
図４（ｃ）及び（ｄ）のように縫い目が長手方向ＬＤに往復変移する幅方向縫製１２で構成した場合には、当該幅方向縫製１２によって厚さ方向の屈曲性が損なわれるのを極力防止することができる。
【００５６】
なお、図４に示す幅方向縫製１２については、実施例１の中間部１０ｄにおける幅方向縫製１２に適用してもよい。また、図４に示す幅方向縫製１２は、実施例１及び２で示した端縁部１０ｂの幅方向縫製１２に適用してもよい。
【００５７】
一方、図１（ｂ）及び図３（ｂ）においては、内方折返部１０ｃや中間折返部１０ｆ等を明示すべく、内方折返部１０ｃ、中間折返部１０ｆ、一方及び他方の折返布１０Ｘ、１０Ｙとして示す布１０を厚さ方向に互いに間隔が空いた状態となるように示したが、これらの布１０からなる新体操練習用リボン１は実際にはアイロンがけ及び縫製１１、１２等により互いに密着した一枚の薄い布状に形成されたものとなっている。
【符号の説明】
【００５８】
１  新体操練習用リボン
１ａ  先端
１ｂ  基端
１０  布
１０ａ  側縁部
１０ｂ  端縁部
１０ｃ  内方折返部
１０ｄ  中間部
１０ｆ  中間折返部
１０ｇ  折返端
１０ｈ  中央折返線部（折り返し部）
１０Ｘ  一方の折返布
１０Ｙ  他方の折返布
１１  長手方向縫製
１２  幅方向縫製
ＣＬ  切断想定ライン
Ｊ  接続具
ＬＤ  長手方向
Ｓ  スティック
Ｗ  幅
ＷＤ  幅方向
【図１】
2015070887.tif 000003
【図２】
2015070887.tif 000004
【図３】
2015070887.tif 000005
【図４】
2015070887.tif 000006
【図５】
2015070887.tif 000007